【手続補正書】
【提出日】平成18年6月6日(2006.6.6)
【手続補正１】
【補正対象書類名】明細書
【補正対象項目名】発明の名称
【補正方法】変更
【補正の内容】
【発明の名称】画像形成方法、画像形成装置および前記方法に用いられる中間転写体
【手続補正２】
【補正対象書類名】明細書
【補正対象項目名】特許請求の範囲
【補正方法】変更
【補正の内容】
【特許請求の範囲】
【請求項１】  中間転写体の表面に、エネルギー付与による表面改質処理を施す工程と、
当該表面改質処理が施された中間転写体に、インクジェット記録手段を用いてインクを吐出して画像を形成する工程と、
当該中間転写体上に形成された画像を記録媒体に転写する工程と、
を具えたことを特徴とする画像形成方法。
【請求項２】  前記中間転写体の表面は、弗素化合物もしくはシリコーン化合物の少なくとも一方の材料を含むことを特徴とする請求項１に記載の画像形成方法。
【請求項３】  前記中間転写体の表面は、ゴム硬度１０°乃至１００°の範囲の弾性体で形成されていることを特徴とする請求項１または２に記載の画像形成方法。
【請求項４】  前記エネルギー付与による前記表面改質処理は、大気圧もしくは減圧下で行われるプラズマ処理であることを特徴とする請求項１ないし３のいずれかに記載の画像形成方法。
【請求項５】  前記エネルギー付与による前記表面改質処理を任意の間隔で追処理することを特徴とする請求項１ないし４のいずれかに記載の画像形成方法。
【請求項６】  前記中間転写体の表面上にインクを吐出する工程に先立って、インクを高粘度化するための第１の液体を付与する工程をさらに具えることを特徴とする請求項１ないし５のいずれかに記載の画像形成方法。
【請求項７】  前記第１の液体は、少なくとも金属イオンを含む水溶液であることを特徴とする請求項６に記載の画像形成方法。
【請求項８】  前記第１の液体を付与する工程に先立って、前記中間転写体の表面の濡れ性を向上させるための第２の液体を付与する工程をさらに具えることを特徴とする請求項６または７に記載の画像形成方法。
【請求項９】  前記記録媒体に前記画像を転写するに先立って、前記インク中の水分除去を促進する工程をさらに具えることを特徴とする請求項１ないし８のいずれかに記載の画像形成方法。
【請求項１０】  前記中間転写体表面をクリーニングする工程をさらに具えることを特徴とする請求項１ないし９のいずれかに記載の画像形成方法。
【請求項１１】  中間転写体にプラズマ処理を行う工程と、
前記プラズマ処理が行われた中間転写体に、インクと反応する液体を付与する工程と、
前記液体が付与された中間転写体にインクを吐出して画像を形成する工程と、
前記中間転写体上に形成された画像を記録媒体に転写する工程と、
を具えたことを特徴とする画像形成方法。
【請求項１２】  弗素ゴムもしくはシリコーンゴムの少なくとも一方の材料を含む表面を有し、プラズマ処理が行われた中間転写体を用意する工程と、
前記中間転写体に、インクジェット記録手段を用いてインクを吐出して画像を形成する工程と、
当該中間転写体上に形成された画像を記録媒体に転写する工程と、
を具えたことを特徴とする画像形成方法。
【請求項１３】  エネルギーの付与による表面改質処理が施された中間転写体を設置する手段と、
前記設置手段に設置された中間転写体に、インクジェット記録手段を用いてインクを吐出して画像を形成する手段と、
当該中間転写体上に形成された画像を記録媒体に転写する手段と、
を具えたことを特徴とする画像形成装置。
【請求項１４】  弗素ゴムもしくはシリコーンゴムの少なくとも一方の材料を含む表面を有し、プラズマ処理が行われた中間転写体を設置する手段と、
前記設置手段に設置された中間転写体に、インクジェット記録手段を用いてインクを吐出して画像を形成する手段と、
前記中間転写体上に形成された画像を記録媒体に転写する手段と、
を具えたことを特徴とする画像形成装置。
【請求項１５】  エネルギーの付与による表面改質処理が施された中間転写体を用いる画像形成方法であって、
前記中間転写体に、インクと反応する液体を付与する工程と、
当該液体が付与された前記中間転写体上に、インクジェット記録手段を用いてインクを吐出して画像を形成する工程と、
当該中間転写体上に形成された画像を記録媒体に転写する工程と、
を具えたことを特徴とする画像形成方法。
【請求項１６】  弗素ゴムもしくはシリコーンゴムの少なくとも一方の材料を含む表面を有し、プラズマ処理が行われた中間転写体を用意する工程と、
前記中間転写体に、インクと反応する液体を付与する工程と、
前記液体が付与された中間転写体に、インクジェット記録手段を用いてインクを吐出して画像を形成する工程と、
当該中間転写体上に形成された画像を記録媒体に転写する工程と、
を具えたことを特徴とする画像形成方法。
【請求項１７】  表面にインク画像が形成されるとともに、当該形成された画像を記録媒体に転写するために用いられる中間転写体に、エネルギーの付与による表面改質処理を施すことを特徴とする中間転写体の表面改質方法。
【請求項１８】  弗素ゴムもしくはシリコーンゴムの少なくとも一方の材料を含む表面を有し、該表面にインク画像が形成され、当該形成された画像を記録媒体に転写するために用いられる中間転写体を用意する工程と、
前記用意された中間転写体に、プラズマ処理による前記表面の改質処理を施す工程と、
を具えたことを特徴とする中間転写体の表面改質方法。
【請求項１９】  表面にインク画像が形成されるとともに、当該形成された画像を記録媒体に転写するために用いられる中間転写体であって、エネルギーの付与により前記表面の改質処理が施されてなることを特徴とする中間転写体。
【請求項２０】  弗素ゴムもしくはシリコーンゴムの少なくとも一方の材料を含む表面を有し、該表面にインク画像が形成され、当該形成された画像を記録媒体に転写するために用いられる中間転写体であって、プラズマ処理が施されてなることを特徴とする中間転写体。
【手続補正３】
【補正対象書類名】明細書
【補正対象項目名】００１９
【補正方法】変更
【補正の内容】
【００１９】
【課題を解決するための手段】
そのために、本発明の画像形成方法は、中間転写体の表面に、エネルギー付与による表面改質処理を施す工程と、当該表面改質処理が施された前記表面を有する中間転写体に、インクジェット記録手段を用いてインクを吐出して画像を形成する工程と、当該中間転写体上に形成された画像を記録媒体に転写する工程と、を具えたことを特徴とする。
また、本発明の画像形成方法は、中間転写体にプラズマ処理を行う工程と、前記プラズマ処理が行われた中間転写体に、インクと反応する液体を付与する工程と、前記液体が付与された中間転写体にインクを吐出して画像を形成する工程と、前記中間転写体上に形成された画像を記録媒体に転写する工程と、を具えたことを特徴とする。
さらに、本発明画像形成装置は、エネルギーの付与による表面改質処理が施された中間転写体を設置する手段と、前記設置手段に設置された中間転写体に、インクジェット記録手段を用いてインクを吐出して画像を形成する手段と、当該中間転写体上に形成された画像を記録媒体に転写する手段と、を具えたことを特徴とする。
【手続補正４】
【補正対象書類名】明細書
【補正対象項目名】００２０
【補正方法】変更
【補正の内容】
【００２０】
また、本発明の画像形成方法は、弗素ゴムもしくはシリコーンゴムの少なくとも一方の材料を含む表面を有し、プラズマ処理が行われた中間転写体を用意する工程と、前記中間転写体に、インクジェット記録手段を用いてインクを吐出して画像を形成する工程と、当該中間転写体上に形成された画像を記録媒体に転写する工程と、を具えたことを特徴とする。
さらに、本発明画像形成装置は、弗素ゴムもしくはシリコーンゴムの少なくとも一方の材料を含む表面を有し、プラズマ処理が行われた中間転写体を設置する手段と、前記設置手段に設置された中間転写体に、インクジェット記録手段を用いてインクを吐出して画像を形成する手段と、前記中間転写体上に形成された画像を記録媒体に転写する手段と、
を具えたことを特徴とする。
【手続補正５】
【補正対象書類名】明細書
【補正対象項目名】００２１
【補正方法】変更
【補正の内容】
【００２１】
また、本発明の画像形成方法は、エネルギーの付与による前記表面改質処理が施された中間転写体を用いる画像形成方法であって、前記中間転写体に、インクと反応する液体を付与する工程と、前記液体が付与された前記中間転写体上に、インクジェット記録手段を用いてインクを吐出して画像を形成する工程と、当該中間転写体上に形成された画像を記録媒体に転写する工程と、を具えたことを特徴とする。
【手続補正６】
【補正対象書類名】明細書
【補正対象項目名】００２２
【補正方法】変更
【補正の内容】
【００２２】
また、本発明の画像形成方法は、弗素ゴムもしくはシリコーンゴムの少なくとも一方の材料を含む表面を有し、プラズマ処理が行われた中間転写体を用意する工程と、前記中間転写体に、インクと反応する液体を付与する工程と、前記液体が付与された中間転写体に、インクジェット記録手段を用いてインクを吐出して画像を形成する工程と、当該中間転写体上に形成された画像を記録媒体に転写する工程と、を具えたことを特徴とする。
さらに、表面にインク画像が形成されるとともに、当該形成された画像を記録媒体に転写するために用いられる中間転写体に、エネルギーの付与による表面改質処理を施す中間転写体の表面改質方法、およびこれにより表面改質された中間転写体に存する。
加えて、本発明は、弗素ゴムもしくはシリコーンゴムの少なくとも一方の材料を含む表面を有し、該表面にインク画像が形成され、当該形成された画像を記録媒体に転写するために用いられる中間転写体を用意する工程と、前記用意された中間転写体に、プラズマ処理による前記表面の改質処理を施す工程と、を具えた中間転写体の表面改質方法、およびこれにより表面改質された中間転写体に存する。